(57)【特許請求の範囲】
【請求項１】
車両に配索されたハーネスを保持するハーネス保持装置において、
車両側の構造物に設けられ係合孔が形成された係合部と、
前記ハーネスの一部を覆うように配設されて前記ハーネスを保持する保持部材と、
前記保持部材の端縁に一体形成された弾性を有する脚部と、
前記脚部の先端における前記脚部の弾性力が向かう側に突出形成され前記係合孔に一方側から挿入されて前記係合孔の他方側に係合することにより前記保持部材を前記係合部に固定する係合爪と、
前記係合部の前記一方側の端縁に形成された突部とを備え、
前記脚部の前記突部を挟む少なくとも２箇所をその弾性力に抗して押圧することにより、前記係合爪の前記係合孔の前記他方側との係合状態が解除されることを特徴とするハーネス保持装置。
【発明の詳細な説明】
【技術分野】
【０００１】
本発明は、車両に配索されたハーネスを保持するハーネス保持装置に関する。
【背景技術】
【０００２】
従来、自動車等の車両には、リレーやヒューズなどを収容した電気接続箱が設けられる。そして、通常この種の電気接続箱を車両構造物に取り付けるには、箱本体に設けられた弾性を有するロックアームに係合突起を設け、車両構造物に固定された固定板に形成された係合孔に、箱本体側の係合突起を係合させることにより、箱本体に車両構造物に取り付けることが提案されている（特許文献１参照）。
【０００３】
また、電気接続箱の蓋体と箱本体の固定も、上記した係合爪の係合孔への係合により行われることが多く、これ以外にもハーネスを車体構造物に固定、保持する場合などに、係合爪の係合孔との係合構造が一般的に採用されている。具体的には、図２に示すように、保持部材２１の端縁に下方に垂下して一体に形成された弾性を有する脚部２１ａの先端に、傾斜面を有する係合爪２１ｂを一体形成し、車両構造物２２に設けられた係合部２２ａに上下方向の係合孔２２ｂが透設され、保持部材２１の係合爪２１ｂが係合孔２２ｂに上方から挿入され、係合爪２１ｂの上端縁が係合孔２２ｂの下面に当接することにより係合爪２１ｂが係合部２２ａに係合し、これにより保持部材２１が車両構造物２２に取り付けられると同時に、ハーネスであるワイヤハーネスＷＨが保持部材２１によって抑えるようにして保持される。
【先行技術文献】
【特許文献】
【０００４】
【特許文献１】特開２００３−２３７１６号公報（段落０００３〜０００６および図５参照）
【発明の概要】
【発明が解決しようとする課題】
【０００５】
ところで、図２に示す従来の係合爪２１ｂの係合孔２２ｂとの係合構造の場合、ワイヤハーネスＷＨの保持を解除するには、係合爪２１ｂが形成されている脚部２１ａが図２中の矢印方向への弾性を有しているため、この弾性力に抗して図２中の矢印と反対方向に脚部２１ａを押圧することによって、係止爪２１ｂの上端縁の係合孔２２ｂの下面との当接を解除し、係合爪２１ｂの係合部２２ａとの係合状態を解除することにより、係合爪２１ｂを係合孔２２ｂから抜き出して保持部材２１を車両構造物２から取り外し、保持されていたワイヤハーネスＷＨを解放することが可能になる。
【０００６】
しかし、ワイヤハーネスＷＨの保持を解除する意図がないにもかかわらず、例えば作業者が作業中に脚部２１ａに接触することにより、脚部２１ａがその弾性力に抗して図２中の矢印と反対方向に押圧されるなどの意図しない外力が脚部２１ａに加わると、係合爪２１ｂの係合部２２ａとの係合状態が解除され、保持されていたワイヤハーネスＷＨが意に反して簡単に解放されてしまうおそれがある。
【０００７】
本発明は、保持されていたハーネスが意に反して解放されることを未然に防止できる保持装置を提供することを目的とする。
【課題を解決するための手段】
【０００８】
上記した目的を達成するために、本発明のハーネス保持装置は、車両に配索されたハーネスを保持するハーネス保持装置において、車両側の構造物に設けられ係合孔が形成された係合部と、前記ハーネスの一部を覆うように配設されて前記ハーネスを保持する保持部材と、前記保持部材の端縁に一体形成された弾性を有する脚部と、前記脚部の先端における前記脚部の弾性力が向かう側に突出形成され前記係合孔に一方側から挿入されて前記係合孔の他方側に係合することにより前記保持部材を前記係合部に固定する係合爪と、前記係合部の前記一方側の端縁に形成された突部とを備え、前記脚部の前記突部を挟む少なくとも２箇所をその弾性力に抗して押圧することにより、前記係合爪の前記係合孔の前記他方側との係合状態が解除されることを特徴としている（請求項１）。
【発明の効果】
【０００９】
請求項１に係る発明によれば、係合部の一方側の端縁に形成された突部を設け、脚部の突部を挟む少なくとも２箇所をその弾性力に抗してほぼ同時に押圧することにより、係合爪の係合孔の他方側との係合状態が解除されるようにしたため、脚部の突部を挟む２箇所に対して弾性力に抗する方向への外力が加わらない限り、係合爪の係合部との係合状態が解除されることがなく、保持されていたハーネスが意に反して解放されるのを未然に防止することができる。
【図面の簡単な説明】
【００１０】
【図１】本発明に係るハーネス保持装置の一実施形態の斜視図である。
【図２】従来例の斜視図である。
【発明を実施するための形態】
【００１１】
本発明に係るハーネス保持装置の一実施形態について、図１を参照して詳細に説明する。
【００１２】
車体に取り付けられた車両側の構造物であるリレーやヒューズなどを収容した樹脂製の電気接続箱にワイヤハーネスＷＨを保持する保持装置は、図１に示すように構成されている。すなわち、図１に示すように、コ字状を成す樹脂製の保持部材２が設けられ、この保持部材２の一方の屈曲片２ａの下端に、図１中の矢印方向への弾性を有する脚部３が下方に延出して一体形成されるとともに、脚部３の下端に傾斜面を有する断面くさび状の係合爪４が一体形成され、脚部３に対向する電気接続箱１の側面１ａに、上下方向に矩形状の係合孔５を有するコ字状の係合部６が外方に突出して一体形成され、保持部材２の他方の屈曲片（図示省略）の下端が電気接続箱１に回転自在に枢支された状態で、保持部材２の係合爪４が係合孔５に上方から挿入され、係合爪４の上端縁が係合孔５の下面に当接することにより係合爪４が係合部６に係合され。これにより電気接続箱１の上面と保持部材２との間にワイヤハーネスＷＨが挟持されて保持される。
【００１３】
さらに、係合部６の中央上端縁にアーチ状に上方に突出して突部８が一体形成されており、保持部材２の係合爪４が係合孔５に上方から挿入されて、係合爪４の上端縁が係合部６の下面に当接して係合爪４が係合部６に係合した状態では、突部８が邪魔になって脚部３の弾性方向である図１中の矢印と反対方向に脚部３の中央部分を押すことができない構造になっている。ここで、保持部材２の他方の屈曲片側にも、一方側と同様に、係合爪と係合孔との係合構造を採用してもよい。
【００１４】
そして、係合爪４が係合部６に係合することにより、電気接続箱１の上面と保持部材２との間にワイヤハーネスＷＨが保持された状態から、ワイヤハーネスＷＨの保持を解除するには、脚部３の突部８を挟む２箇所をその弾性力に抗して図１中の矢印と反対方向に脚部８をほぼ同時に押圧することによって、係止爪４の上端縁の係合部６の下面との当接が解除され、係合爪４の係合部６との係合状態が解除されることにより、係合爪４を係合孔５から抜き出して保持部材２を電気接続箱１から取り外すことができ、保持されていたワイヤハーネスＷＨを解放することができる。
【００１５】
このとき、脚部３の突部８を挟む２箇所のうち一方側のみを押圧しても、脚部３の弾性力を上回るほどの押圧力が脚部３に加わらず、脚部８が弾性力に抗して変形しないため、係止爪４の上端縁の係合部６の下面との当接が解除されることはなく、例えば作業者が作業中に誤って脚部３に接触しても、脚部３が不用意に変形して、係止爪４の係合孔５との係合状態は保持される。
【００１６】
したがって、上記した実施形態によれば、係合部６の中央上端縁に突部８を形成し、脚部３の突部８を挟む２箇所をその弾性力に抗してほぼ同時に押圧することにより、係合爪４の係合孔５との係合状態が解除されるようにしたため、脚部３の突部８を挟む２箇所に対して脚部３にその弾性力に抗する方向への外力が加わらない限り、係合爪４の係合部６との係合状態が解除されることがなく、意に反してワイヤハーネスＷＨが解放されてしまうのを未然に防止することができる。
【００１７】
なお、本発明は上記した実施形態に限定されるものではなく、その趣旨を逸脱しない限りにおいて上述したもの以外に種々の変更を行なうことが可能である。
【００１８】
また、上記した実施形態では、突部８を１個だけ設けた場合について説明したが、２個以上の突部８を係合部６に設けてもよい。
【００１９】
また、上記した実施形態では、車両側の構造物である電気接続箱１と保持部材２との間にワイヤハーネスＷＨを保持する場合について説明したが、車両側の構造物は電気接続箱１に限るものではなく、床パネルやドアパネルなどの車両構造部材であってもよいのはいうまでもない。
【００２０】
また、上記した実施形態では、ワイヤハーネスＷＨを保持する例について説明したが、ワイヤハーネスＷＨに限らず、車両に配索されるその他のハーネス全般に対して本発明を適用することができる。
【符号の説明】
【００２１】
１    …電気接続箱（構造物）
２    …保持部材
３    …脚部
４    …係合爪
５    …係合孔
６    …係合部
８    …突部
【図１】
0006436441.tif 000002
【図２】
0006436441.tif 000003